(57)【特許請求の範囲】
【請求項１】
住宅のエントランスに設置され、来訪者を撮像するためのカメラおよび居住者を呼び出す機能を備えた玄関子機と、前記エントランスに設置され、来訪者を撮像するための一つ以上のエントランスカメラと、前記住宅内に設置され、前記玄関子機からの呼び出しに応答する機能およびモニタを備えた居室親機と、を有する住宅インターホンシステムにおいて、
前記居室親機は、一つの伝送線路により送信される、前記玄関子機のカメラにより撮像された撮像画像データおよび前記一つ以上のエントランスカメラにより撮像された撮像画像データを受信することができるデータ送受信手段と、
データをバッファするための第１バッファおよび第２バッファと、
所定の設定に基づいて、前記データ送受信手段により受信した撮像画像データのヘッダ情報をもとに、前記玄関子機のカメラにより撮像された撮像画像データおよび前記一つ以上のエントランスカメラにより撮像された撮像画像データのうちのいずれか一つを前記第１バッファに振り分けるとともに、他の一つを前記第２バッファに振り分ける画像振り分け手段と、
前記第２バッファの撮像画像データをリサイズするリサイザと、
前記モニタに、前記第１バッファの撮像画像データおよび前記リサイザによりリサイズされた前記第２バッファの撮像画像データが同時に表示されるように制御することができる表示制御手段と、を有する、
住宅インターホンシステム。
【請求項２】
前記居室親機は、前記モニタの表示を切り替えるための表示切り替えボタンをさらに有しており、
前記画像振り分け手段は、前記表示切り替えボタンを操作する度に、前記複数のバッファに振り分けられる画像データを変更する、
請求項１記載の住宅インターホンシステム。
【請求項３】
前記玄関子機は、
前記カメラの出力に含まれる所定の信号が前記カメラから出力されるタイミングに基づいて、前記カメラにより撮像された撮像画像データまたは前記一つ以上のエントランスカメラにより撮像された撮像画像データを切り替えて出力する切り替え手段と、
前記切り替え手段から出力された撮像画像データを圧縮するデータ圧縮手段と、
前記データ圧縮手段により圧縮された撮像画像データにヘッダを付与するヘッダ付与手段と、
前記ヘッダ付与手段によりヘッダが付与されたヘッダ付圧縮撮像画像データを外部機器に送信することができるデータ伝送手段と、を有しており、
前記データ圧縮手段は、前記所定の信号が前記カメラから出力されるタイミングに基づいて、データの圧縮率および（または）画面サイズを変更することができる構成となっており、
前記居室親機は、前記データ送受信手段により受信した前記ヘッダ付圧縮撮像画像データを伸張し、伸張したヘッダ付撮像画像データを前記画像振り分け手段に出力する、データ伸張手段をさらに有する、
請求項１または２記載の住宅インターホンシステム。
【請求項４】
前記エントランスカメラとして、第１エントランスカメラと第２エントランスカメラとを備えており、
前記第１エントランスカメラは、来訪者を撮像するための撮像手段と、前記撮像手段により撮像された撮像画像データを圧縮するデータ圧縮手段と、前記データ圧縮手段により圧縮された撮像画像データにヘッダを付与し、ヘッダ付圧縮撮像画像データを出力するヘッダ付与手段と、を有しており、
前記玄関子機は、前記第１エントランスカメラから受信した前記第１エントランスカメラのヘッダ付圧縮撮像画像データをバッファする第１バッファと、前記カメラの出力に含まれる所定の信号が前記カメラから出力されるタイミングに基づいて、前記カメラにより撮像された撮像画像データまたは前記第２エントランスカメラにより撮像された撮像画像データのいずれかを切り替えて出力する切り替え手段と、前記切り替え手段から出力された撮像画像データを圧縮するデータ圧縮手段と、前記玄関子機の前記データ圧縮手段により圧縮された撮像画像データにヘッダを付与し、ヘッダ付圧縮撮像画像データを出力するヘッダ付与手段と、前記玄関子機の前記ヘッダ付与手段から出力されたヘッダ付圧縮撮像画像データをバッファする第２バッファと、前記所定の信号が前記カメラから出力されるタイミングに基づいて、前記第１バッファおよび前記第２バッファのヘッダ付圧縮撮像画像データを所定の順序で外部機器に送信することができるデータ伝送手段と、有しており、
前記玄関子機の前記データ圧縮手段は、前記所定の信号が前記カメラから出力されるタイミングに基づいて、データの圧縮率および（または）画面サイズを変更することができる構成となっており、
前記居室親機は、前記データ送受信手段により受信した前記ヘッダ付圧縮撮像画像データを伸張し、伸張したヘッダ付撮像画像データを前記画像振り分け手段に出力する、データ伸張手段をさらに有する、
請求項１または２記載の住宅インターホンシステム。
【請求項５】
前記玄関子機は、集合住宅のエントランスに設置される集合玄関機であり、
前記居室親機は、前記集合住宅の各住戸に設置されており、
記住宅インターホンシステムは、前記集合玄関機、前記エントランスカメラおよび
前記居室親機を制御する制御装置をさらに有しており、
前記集合玄関機の前記データ伝送手段は、前記ヘッダ付圧縮撮像画像データを前記制御装置に出力する構成となっており、
前記制御装置は、前記集合玄関機の前記データ伝送手段から受信した信号を送信先となる所定の居室親機に送信することにより、前記ヘッダ付圧縮撮像画像データを前記集合玄関機から前記居室親機に出力する構成となっている、
請求項３または４記載の住宅インターホンシステム。
【請求項６】
集合住宅のエントランスに設置され、来訪者を撮像するためのカメラおよび居住者を呼び出す機能を備えた集合玄関機と、前記エントランスに設置され、来訪者を撮像するための一つ以上のエントランスカメラと、前記集合住宅の各住戸に設置され、前記玄関子機からの呼び出しに応答する機能およびモニタを備えた居室親機と、を有する集合住宅インターホンシステムにおいて、
前記居室親機は、一つの伝送線路により送信される、前記玄関子機のカメラにより撮像された撮像画像データ、前記一つ以上のエントランスカメラにより撮像された撮像画像データおよび文字データまたは（および）画像データを受信することができるデータ送受信手段と、
データをバッファするための第１バッファおよび第２バッファと、
所定の設定に基づいて、前記データ送受信手段により受信したデータのヘッダ情報をもとに、前記玄関子機のカメラにより撮像された撮像画像データ、前記一つ以上のエントランスカメラにより撮像された撮像画像データおよび文字データまたは（および）画像データのうちのいずれか一つを前記第１バッファに振り分けるとともに、他の一つを前記第２バッファに振り分ける画像振り分け手段と、
前記第２バッファのデータをリサイズするリサイザと、
前記モニタに、前記第１バッファのデータおよび前記リサイザによりリサイズされた前記第２バッファのデータが同時に表示されるように制御することができる表示制御手段と、を有する、
集合住宅インターホンシステム。
【発明の詳細な説明】
【技術分野】
【０００１】
本発明は、住宅インターホンシステムに関し、特に、玄関子機の撮像画像データと、エントランスカメラの撮像画像データとを居室親機のモニタに表示することができる住宅インターホンシステムに関する。
【背景技術】
【０００２】
従来、図７に示すような構成の住宅インターホンシステム１００が知られている。
この住宅インターホンシステム１００は、玄関子機１２０と、エントランスカメラ１３０と、この玄関子機１２０またはエントランスカメラ１３０から伝送された画像データを受信し、受信した画像データをモニタ１４３に映すことができる居室親機１４０とを有している。
玄関子機１２０は居住者を呼び出すために用いられ、主に住戸の玄関Ｓに設置される。また、エントランスカメラ１３０も住戸のエントランスＳに設置される。居室親機１４０は玄関子機１２０からの呼び出しに応答するために用いられ、その住戸内Ｔに設置される。
【０００３】
この住宅インターホンシステム１００の玄関子機１２０は、来訪者を撮像するカメラ１２１と、このカメラ１２１で撮像された撮像画像データを居室親機１４０に伝送する伝送部１２２と、図示しない呼出ボタンとを有している。エントランスカメラ１３０は、来訪者を撮像するカメラ１３１と、このカメラ１３１で撮像された撮像画像データを居室親機１４０に伝送する伝送部１３２とを有している。居室親機１４０は、玄関子機１２０の伝送部１２２から送信された撮像画像データを受信する第１の伝送部１４１と、エントランスカメラ１３０の伝送部１４２から送信された撮像画像データを受信する第２の伝送部１４２と、これらの第１の伝送部１４１または第２の伝送部１４２で受信した撮像画像データを表示するモニタ１４３と、居室親機１４０の呼出制御およびモニタ１４３に表示する撮像画像データの切替制御を行う制御部１４４と、図示しない通話ボタンと映像切り替えボタンとを有している。玄関子機１２０と居室親機１４０とは伝送線路Ｌ１１で、エントランスカメラ１３０と居室親機１４０とは伝送線路Ｌ１２でそれぞれ接続されている。
【０００４】
このような構成の住宅インターホンシステム１００では、来訪者が玄関子機１２０の図示しない呼び出しボタンを押下した場合、居室親機１４０が呼出状態となるとともに玄関子機１２０のカメラ１２１およびエントランスカメラ１３０のカメラ１３１による撮像が開始され、居室親機１４０のモニタ１４３に、玄関子機１２０のカメラ１２１により撮像された撮像画像データまたはエントランスカメラ１３０のカメラ１３１により撮像された撮像画像データのいずれか一方が表示されるようになっている。
そして、居室親機１４０が呼出状態にある間に、居住者が居室親機１４０の図示しない通話ボタンを押下し応答すると、玄関子機１２０と居室親機１４０との間が通話状態となる。
この通話状態において、居住者が居室親機１４０の図示しない映像切り替えボタンを押下した場合、制御部１４４は、居室親機１４０のモニタ１４３に表示される撮像画像データを玄関子機１２０のカメラ１２１により撮像された撮像画像データからエントランスカメラ１３０のカメラ１３１により撮像された撮像画像データに、またはエントランスカメラ１３０のカメラ１３１により撮像された撮像画像データから玄関子機１２０のカメラ１２１により撮像された撮像画像データに切り替える制御を実行する。これにより、居住者が図示しない映像切り替えボタンを押下する度に異なるカメラの撮像画像データがモニタ１４３に表示されるようになっている。
【０００５】
また、従来、図８に示すような構成の集合住宅インターホンシステム２００が知られている。
この集合住宅インターホンシステム２００はマンション等の集合住宅で用いられるものであり、集合玄関機２２０と、エントランスカメラ２３０と、制御装置２５０から伝送された画像データを受信し、受信した画像データをモニタ２４２に映すことができる居室親機２４０と、居室親機２４０の呼出制御および居室親機２４０に送信する撮像画像データの切替制御を行う制御装置２５０とを有している。
集合玄関機２２０は居住者を呼び出すために用いられ、主にマンションのエントランスＰに設置される。また、エントランスカメラ２３０もマンションのエントランスＰに設置される。居室親機２４０は集合玄関機２２０からの呼び出しに応答するために用いられ、マンションの各住戸内Ｒに設置される。制御装置２５０は、マンションの共用部Ｑに設置される。
【０００６】
この集合住宅インターホンシステム２００の集合玄関機２２０は、来訪者を撮像するカメラ２２１と、このカメラ２２１で撮像された撮像画像データを制御装置２５０に伝送する伝送部２２２と、図示しない呼出ボタンとを有している。エントランスカメラ２３０は、来訪者を撮像するカメラ２３１と、このカメラ２３１で撮像された撮像画像データを制御装置２５０に伝送する伝送部２３２とを有している。
制御装置２５０は、集合玄関機２２０の伝送部２２２から送信された撮像画像データを受信する第１の伝送部２５１と、エントランスカメラ２３０の伝送部２３２から送信された撮像画像データを受信する第２の伝送部２５２と、所定の居室親機２４０の呼出制御および該居室親機２４０に送信する撮像画像データの切替制御を行う制御部２５４と、集合玄関機２２０の伝送部２２２から送信された撮像画像データまたはエントランスカメラ２３０の伝送部２２２から送信された撮像画像データのいずれか一方を送信先の居室親機２４０に送信する第３の伝送部２５３とを有している。
居室親機２４０は、制御装置２５０から送信された撮像画像データを受信する伝送部２４１と、伝送部２４１で受信した撮像画像データを表示するモニタ２４２と、図示しない通話ボタンと映像切り替えボタンとを有している。集合玄関機２２０と制御装置２５０とは伝送線路Ｌ１３で、エントランスカメラ２３０と制御装置２５０とは伝送線路Ｌ１４で、制御装置２５０と居室親機２４０とは伝送線路Ｌ１５で、それぞれ接続されている。
【０００７】
このような構成の集合住宅インターホンシステム２００では、来訪者が集合玄関機２２０において訪問先の部屋番号を入力した場合、制御装置２５０の制御部２５４において呼出制御が実行され、来訪者から呼び出しを受けた所定の居室親機２４０が呼出状態となるとともに集合玄関機２２０のカメラ２２１およびエントランスカメラ２３０のカメラ２３１による撮像が開始され、該居室親機２４０のモニタ２４２に、集合玄関機２２０のカメラ２２１により撮像された撮像画像データまたはエントランスカメラ２３０のカメラ２３１により撮像された撮像画像データのいずれか一方が表示される。
そして、居室親機２４０が呼出状態にある間に、居住者が居室親機２４０の図示しない通話ボタンを押下し応答すると、集合玄関機２２０と居室親機２４０との間が通話状態となる。
この通話状態において、居住者が居室親機２４０の図示しない映像切り替えボタンを押下した場合、制御装置２５０は、第３の伝送部２５３から居室親機２４０に送信する撮像画像データを集合玄関機２２０のカメラ２２１により撮像された撮像画像データからエントランスカメラ２３０のカメラ２３１により撮像された撮像画像データに、またはエントランスカメラ２３０のカメラ２３１により撮像された撮像画像データから集合玄関機２２０のカメラ２２１により撮像された撮像画像データに切り替える制御を実行する。これにより、居住者が図示しない映像切り替えボタンを押下する度に異なるカメラの撮像画像データがモニタ２４２に表示されるようになっている。
【先行技術文献】
【特許文献】
【０００８】
【特許文献１】特開平１１−１２７４３３号公報
【特許文献２】特開２０００−１０１７３１号公報
【特許文献３】特開２００４−１８００８６号公報
【発明の概要】
【発明が解決しようとする課題】
【０００９】
このように、住宅インターホンシステム１００または集合住宅インターホンシステム２００では、居室親機で接続先を切り替えることによって所望のカメラとの間で伝送線路が形成され、伝送された撮像画像データがモニタに表示される構成となっている。そして、図示しない映像切り替えボタンを押下する度に異なるカメラとの間で伝送線路が形成され、順次、異なるカメラの撮像画像データがモニタに表示されるようになっている。
しかしながら、これらの住宅インターホンシステム１００または集合住宅インターホンシステム２００は、居室親機で接続先を切り替えることにより一つの伝送線路が形成される構成となっているため、居室親機１４０，２４０のモニタ１４３，２４２には一つのカメラの撮像画像データしか表示することができず、他のカメラの撮像画像データを確認するには居住者の操作によりモニタに表示される撮像画像データを切り替える必要があった。一方、居室親機のモニタに複数のカメラの撮像画像データを同時に表示することができれば、切り替え操作を行うことなく複数のカメラの撮像画像データを確認することができ、利便性が高い。
【００１０】
本発明は、以上のような点に着眼してなされたものであり、居室親機のモニタに容易に複数のカメラの撮像画像データを同時に表示することができる住宅インターホンシステムを提供することを課題とする。
【課題を解決するための手段】
【００１１】
上記課題を解決するために、本願発明者は、以下のような住宅インターホンシステムを提案する。
【００１２】
本発明の住宅インターホンシステムは、住宅のエントランスに設置され、来訪者を撮像するためのカメラおよび居住者を呼び出す機能を備えた玄関子機と、前記エントランスに設置され、来訪者を撮像するための一つ以上のエントランスカメラと、前記住宅内に設置され、前記玄関子機からの呼び出しに応答する機能およびモニタを備えた居室親機と、を有する。
この居室親機は、一つの伝送線路により送信される、前記玄関子機のカメラにより撮像された画像データおよび前記一つ以上のエントランスカメラにより撮像された撮像画像データを受信することができるデータ送受信手段と、データをバッファするための複数のバッファと、前記データ送受信手段により受信した撮像画像データのヘッダ情報をもとに、前記受信した撮像画像データを前記複数のバッファに振り分ける画像振り分け手段と、前記モニタに、前記複数のバッファの撮像画像データが同時に表示されるように制御することができる表示制御手段と、を有する。
このような構成の住宅インターホンシステムによれば、画像振り分け手段により、受信した撮像画像データのヘッダ情報をもとに、この受信した撮像画像データが複数のバッファに振り分けられるようになっている（撮像画像データの種類によってバッファされるバッファが決定される）ため、居室親機のモニタに容易に複数のカメラの撮像画像データを同時に表示することができ、居住者は一度に複数のカメラの撮像画像データを確認することができるようになる。これにより、他のカメラの撮像画像データを確認するためにモニタに表示される撮像画像データを切り替える操作を居住者が行う必要がなく、利便性が高い。
なお「複数のバッファの撮像画像データが同時に表示される」とは、必ずしも複数のバッファ全ての撮像画像データが同時に表示される必要はなく、複数のバッファの撮像画像データの少なくとも二つ以上が同時に表示される場合を含む。
また、撮像画像データに付されている「ヘッダ情報」は、例えば、該データの解像度（圧縮率、画面の大きさ）の情報、居室親機で使用する用途などの情報、またはカメラの識別情報等を示す。
【００１３】
前記居室親機は、前記複数のバッファとして第１バッファと第２バッファとを有しており、前記画像振り分け手段は、所定の設定に基づいて、前記データ送受信手段により受信した撮像画像データのヘッダ情報をもとに、前記玄関子機のカメラにより撮像された撮像画像データおよび前記一つ以上のエントランスカメラにより撮像された撮像画像データのうち、いずれか一つを前記第１バッファに振り分けるとともに、他の一つを前記第２バッファに振り分けるような構成となっていてもよい。
このような構成の住宅インターホンシステムによれば、複数のカメラにより撮像された撮像画像データのうち、二つの撮像画像データをモニタに同時に表示することができる。なお、第１バッファに振り分けられる撮像画像データおよび第２バッファに振り分けられる撮像画像データを予め居住者が設定しておくことで、どのカメラにより撮像された撮像画像データをモニタに表示するかを選択することができるようにしてもよい。
【００１４】
前記居室親機は、前記複数のバッファのうち、少なくとも一つのバッファのデータをリサイズするリサイザをさらに有していてもよい。
このようなリサイザを有していれば、同時に表示される撮像画像データの大きさをカメラ毎に変えることができ、設定によって居住者の好みに合わせた表示とすることができる。具体的には、例えばカメラにより撮像された撮像画像データを大きく表示させ、エントランスカメラにより撮像された撮像画像データを小さく表示させることができる。
【００１５】
前記居室親機は、前記モニタの表示を切り替えるための表示切り替えボタンをさらに有しており、前記画像振り分け手段は、前記表示切り替えボタンを操作する度に、前記複数のバッファに振り分けられる画像データを変更するような構成としてもよい。
すなわち、このような構成の住宅インターホンシステムによれば、モニタに複数のバッファの撮像画像データが同時に表示させるだけでなく、表示切り替えボタンを押下することにより、例えば、カメラにより撮像された撮像画像データおよび、いずれか一つのエントランスカメラにより撮像された撮像画像データの二つをモニタに表示させていた映像を、モニタにカメラにより撮像された撮像画像データおよび、いずれか他のエントランスカメラにより撮像された撮像画像データの二つを表示させる映像、カメラにより撮像された撮像画像データのみを表示させる映像、いずれか一つのエントランスカメラにより撮像された撮像画像データのみを表示させる映像等に、モニタに表示される映像を順次切り替えることができ、利便性が高い。
【００１６】
前記玄関子機は、前記カメラの出力に含まれる所定の信号が前記カメラから出力されるタイミングに基づいて、前記カメラにより撮像された撮像画像データまたは前記一つ以上のエントランスカメラにより撮像された撮像画像データを切り替えて出力する切り替え手段と、前記切り替え手段から出力された撮像画像データを圧縮するデータ圧縮手段と、前記データ圧縮手段により圧縮された撮像画像データにヘッダを付与するヘッダ付与手段と、前記ヘッダ付与手段によりヘッダが付与されたヘッダ付圧縮撮像画像データを外部機器に送信することができるデータ伝送手段と、を有しており、前記データ圧縮手段は、前記所定の信号が前記カメラから出力されるタイミングに基づいて、データの圧縮率および（または）画面サイズを変更することができる構成となっており、前記居室親機は、前記データ送受信手段により受信した前記ヘッダ付圧縮撮像画像データを伸張し、伸張したヘッダ付撮像画像データを前記画像振り分け手段に出力する、データ伸張手段をさらに有していてもよい。
このような構成の住宅インターホンシステムによれば、一つの伝送線路により、玄関子機から居室親機に、ヘッダ付きの複数のカメラの撮像画像データを送信することができる。また、データ圧縮手段は、所定の信号がカメラから出力されるタイミングに基づいて、データの圧縮率および（または）画面サイズを変更することができる構成となっているので、それぞれの撮像画像データの、居室親機のモニタにおいて予定されている表示サイズ等に基づき、撮像画像データ毎に適した圧縮率および（または）画面サイズのデータに圧縮してから居室親機に送信することができる。
ヘッダ付与手段は、データ圧縮手段により圧縮された撮像画像データに、該データの解像度（圧縮率、画面の大きさ）の情報、居室親機で使用する用途などの情報、またはカメラの識別情報等のヘッダを付与するようになっている。
【００１７】
また「カメラの出力に含まれる所定の信号」は、カメラから一定の間隔で出力される信号であればよく、具体的にはカメラが出力するフィールド信号または垂直同期信号を使用することができる。
例えば所定の信号としてカメラが出力するフィールド信号を使用する場合、玄関子機またはエントランスカメラの切り替え手段は、カメラから偶数フィールド信号が出力された場合は第１バッファの第１撮像画像データまたは第２バッファの第２撮像画像データのいずれか一方を、カメラから奇数フィールド信号が出力された場合は第１バッファの第１撮像画像データまたは第２バッファの第２撮像画像データのいずれか他方を出力するような構成とすることができる。
フィールド信号を使用すると、垂直同期信号を使用する場合と比べて回路構成が簡単となる一方、画質は大きく劣化する。反対に、垂直同期信号を使用すると、フィールド信号を使用する場合と比べて回路構成が複雑となる一方、画質の劣化は少ない。
【００１８】
上述の住宅インターホンシステムは、前記エントランスカメラとして、第１エントランスカメラと第２エントランスカメラとを備えており、前記第１エントランスカメラは、来訪者を撮像するための撮像手段と、前記撮像手段により撮像された撮像画像データを圧縮するデータ圧縮手段と、前記データ圧縮手段により圧縮された撮像画像データにヘッダを付与し、ヘッダ付圧縮撮像画像データを出力するヘッダ付与手段と、を有しており、前記玄関子機は、前記第１エントランスカメラから受信した前記第１エントランスカメラのヘッダ付圧縮撮像画像データをバッファする第１バッファと、前記カメラの出力に含まれる所定の信号が前記カメラから出力されるタイミングに基づいて、前記カメラにより撮像された撮像画像データまたは前記第２エントランスカメラにより撮像された撮像画像データのいずれかを切り替えて出力する切り替え手段と、前記切り替え手段から出力された撮像画像データを圧縮するデータ圧縮手段と、前記玄関子機の前記データ圧縮手段により圧縮された撮像画像データにヘッダを付与し、ヘッダ付圧縮撮像画像データを出力するヘッダ付与手段と、前記玄関子機の前記ヘッダ付与手段から出力されたヘッダ付圧縮撮像画像データをバッファする第２バッファと、前記所定の信号が前記カメラから出力されるタイミングに基づいて、前記第１バッファおよび前記第２バッファのヘッダ付圧縮撮像画像データを所定の順序で外部機器に送信することができるデータ伝送手段と、有しており、前記玄関子機の前記データ圧縮手段は、前記所定の信号が前記カメラから出力されるタイミングに基づいて、データの圧縮率および（または）画面サイズを変更することができる構成となっており、前記居室親機は、前記データ送受信手段により受信した前記ヘッダ付圧縮撮像画像データを伸張し、伸張したヘッダ付撮像画像データを前記画像振り分け手段に出力する、データ伸張手段をさらに有していてもよい。
【００１９】
上述した本発明の住宅インターホンシステムは、マンション等で使用される集合住宅インターホンシステムとしても使用することができる。
このような集合住宅インターホンシステムとして使用する場合、住宅インターホンシステムのシステムの玄関子機は、集合住宅のエントランスに設置される集合玄関機であり、前記居室親機は、前記集合住宅の各住戸に設置されており、前記住宅インターホンシステムは、前記集合玄関機、前記エントランスカメラおよび前記居室親機を制御する制御装置をさらに有しており、前記集合玄関機の前記データ伝送手段は、前記ヘッダ付圧縮撮像画像データを前記制御装置に出力する構成となっており、前記制御装置は、前記集合玄関機の前記データ伝送手段から受信した信号を送信先となる所定の居室親機に送信することにより、前記ヘッダ付圧縮撮像画像データを前記集合玄関機から前記居室親機に出力する構成とすることができる。
【００２０】
また、集合住宅インターホンシステムとして構成する場合、居室親機は、一つの伝送線路により送信される、前記玄関子機のカメラにより撮像された撮像画像データ、前記一つ以上のエントランスカメラにより撮像された撮像画像データおよび文字データまたは（および）画像データを受信することができるデータ送受信手段と、データをバッファするための第１バッファおよび第２バッファと、所定の設定に基づいて、前記データ送受信手段により受信したデータのヘッダ情報をもとに、前記玄関子機のカメラにより撮像された撮像画像データ、前記一つ以上のエントランスカメラにより撮像された撮像画像データおよび文字データまたは（および）画像データのうちのいずれか一つを前記第１バッファに振り分けるとともに、他の一つを前記第２バッファに振り分ける画像振り分け手段と、前記第２バッファのデータをリサイズするリサイザと、前記モニタに、前記第１バッファのデータおよび前記リサイザによりリサイズされた前記第２バッファのデータが同時に表示されるように制御することができる表示制御手段と、を有するように構成することもできる。
このような構成の集合住宅インターホンシステムによれば、画像振り分け手段により、受信したデータのヘッダ情報をもとに、この受信したデータが複数のバッファに振り分けられるようになっているため、居室親機のモニタに複数のデータを同時に表示することができ、居住者は一度に複数の映像を確認することができるようになる。すなわち、この集合住宅インターホンシステムでは、設定によって、撮像画像データと、文字データまたは画像データとをモニタに同時に表示することができ、利便性が高い。
また、データに付されている「ヘッダ情報」は、例えば、該データの解像度（圧縮率、画面の大きさ）の情報、居室親機で使用する用途などの情報、カメラの識別情報、または文字データまたは画像データであることを示す情報等を示す。
【発明の効果】
【００２１】
本発明によれば、居室親機のモニタに複数のカメラの撮像画像データを容易に同時に表示することができる。
【図面の簡単な説明】
【００２２】
【図１】本発明の第１実施形態の住宅インターホンシステムの全体構成を示す図。
【図２】本発明の第１実施形態の住宅インターホンシステムの構成を示すブロック図。
【図３】本発明の第２実施形態の集合住宅インターホンシステムの全体構成を示す図。
【図４】本発明の第２実施形態の集合住宅インターホンシステムの構成を示すブロック図。
【図５】本発明の第２実施形態の集合住宅インターホンシステムの変形例における玄関子機の構成を示すブロック図。
【図６】本発明の第２実施形態の集合住宅インターホンシステムの変形例における居室親機のモニタに表示される画面の一例を示す図。
【図７】従来の住宅インターホンシステムの全体構成を示す図。
【図８】従来の集合住宅インターホンシステムの構成を示すブロック図。
【発明を実施するための形態】
【００２３】
以下、本発明の住宅インターホンシステムの好ましい実施形態を、図面を参照しながら詳細に説明する。
【００２４】
＜第１実施形態＞
第１実施形態による住宅インターホンシステム１は、概略で図１および図２に示したように構成される。
すなわち、本実施形態の住宅インターホンシステム１は、住宅のエントランスＡに設置され、来訪者が居住者の呼出操作を行うための呼出ボタン１１を備える玄関子機１０と、玄関子機１０に接続されているエントランスカメラ２０，３０と、住戸内Ｂに設置され、玄関子機１０からの呼び出しに応答する通話ボタン４１、表示切り替えボタン４２およびモニタ４１０を備える居室親機４０とを有している。
玄関子機１０とエントランスカメラ２０とは伝送線路Ｌ１、玄関子機１０とエントランスカメラ３０とは伝送線路Ｌ２、玄関子機１０と居室親機４０とは伝送線路Ｌ３を介して接続されている。
【００２５】
エントランスカメラ２０は、エントランスＡに取り付けられた来訪者を撮像するための第１の増設カメラであり、図２に示すように、来訪者を撮像するためのカメラ２０１と、このカメラ２０１により撮像されたデータである第２撮像画像データを伝送線路Ｌ１を介して玄関子機１０に送信する伝送部２０２とを有している。
【００２６】
エントランスカメラ３０は、エントランスＡに取り付けられた来訪者を撮像するための第２の増設カメラであり、図２に示すように、来訪者を撮像するためのカメラ３０１と、このカメラ３０１により撮像されたデータである第３撮像画像データを所定の圧縮率で、所定の画面サイズに圧縮する画像圧縮部３０２と、画像圧縮部３０２により圧縮された撮像画像データにカメラ３０１の識別情報をヘッダ情報として付与するヘッダ付与部３０３と、ヘッダ付与部３０３によりヘッダが付与されたヘッダ付き圧縮撮像画像データを伝送線路Ｌ２を介して玄関子機１０に送信する伝送部３０４とを有している。これらのエントランスカメラ２０，３０は、玄関子機１０の制御に基づいて動作するように構成されている。
【００２７】
玄関子機１０は、図２に示すように、カメラ１０１と、カメラ１０１の出力に含まれる所定の信号に基づいてタイミングを生成するタイミング発生回路１０２と、エントランスカメラ２０により撮像されたデータである第２撮像画像データをエントランスカメラ２０から受信する第１の伝送部１０３と、タイミング発生回路１０２により生成されるタイミングに基づいて第１撮像画像データまたは第２撮像画像データを順次切り替えて出力するマルチプレクサ１０４と、マルチプレクサ１０４から出力されたデータをそれぞれ異なる圧縮率で、異なる画面サイズに圧縮する画像圧縮部１０５と、画像圧縮部１０５により圧縮された撮像画像データに、カメラ１０１またはカメラ２０１の識別情報をヘッダ情報として付与するヘッダ付与部１０６と、ヘッダ付与部１０６によりヘッダが付与されたヘッダ付き圧縮撮像画像データをバッファする第１バッファ１０７と、エントランスカメラ３０からヘッダ付き圧縮撮像画像データを受信する第２の伝送部１０８と、第２の伝送部１０８により受信したヘッダ付き圧縮撮像画像データをバッファする第２バッファ１０９と、第１バッファ１０７のヘッダ付き圧縮撮像画像データまたは第２バッファ１０９のヘッダ付き圧縮撮像画像データを受け取り、伝送フレームの組み立てを行うとともに、組み立てた伝送フレームを、伝送線路Ｌ３を介して居室親機３０に送信することができる第３の伝送部１１０とを有している。
【００２８】
居室親機４０は、図２に示すように、玄関子機１０の第３の伝送部１１０から送信されたデータを伝送線路Ｌ３を介して受信する伝送４０１と、伝送部４０１により受信したデータのヘッダを解析するヘッダ解析部４０２と、このヘッダ解析部４０２の解析結果に基づいて制御を行う制御回路４０４と、伝送部４０１により受信したデータを伸張する画像伸張部４０３と、制御回路４０４の制御に基づいて画像伸張部４０３により伸張されたデータの出力先を切り替えるマルチプレクサ４０５と、マルチプレクサ４０５から出力されたデータをバッファするための第１バッファ４０６および第２バッファ４０７と、第２バッファ４０７のデータをリサイズ（拡大または縮小）するリサイザ４０８と、表示制御部４０９と、モニタ４１０とを有している。
その他、玄関子機１０および居室親機４０が通話に必要な音声回路や映像回路等を備えていることは従来のインターホンシステムと同様であるので、これらについての説明は省略する。
【００２９】
次に、以上のように構成された住宅インターホンシステム１の動作、具体的には、来訪者が玄関子機１０の呼び出しボタン１１を押下した場合の動作について、説明する。
【００３０】
来訪者が玄関子機１０の呼び出しボタン１１を押下した場合、居室親機４０が呼出状態となるとともに、玄関子機１０の制御のもと、玄関子機１０のカメラ１０１およびエントランスカメラ２０，３０のカメラ２０１，３０１による撮像が開始される。
エントランスカメラ２０のカメラ２０１により撮像されたデータである第２撮像画像データは、伝送部２０２から伝送線路Ｌ１を介して第１の伝送部１０３に送信される。
エントランスカメラ３０のカメラ３０１により撮像されたデータである第３撮像画像データは、画像圧縮部３０２により所定の圧縮率で、所定の画面サイズに圧縮された後、ヘッダ付与部３０３によりヘッダが付与され、伝送部３０４から伝送線路Ｌ２を介して玄関子機１０に送信される。
このように、エントランスカメラ２０のカメラ２０１により撮像されたデータである第２撮像画像データは圧縮されずに玄関子機１０に送信される一方、エントランスカメラ３０のカメラ３０１により撮像されたデータである第３撮像画像データは圧縮され、ヘッダが付与されてから玄関子機１０に送信される。
【００３１】
カメラ１０１により撮像されたデータである第１撮像画像データおよび第１の伝送部１０３により受信された第２撮像画像データは、マルチプレクサ１０４に入力される。カメラ１０１により撮像されたデータは、タイミング発生回路１０２にも入力される。タイミング発生回路１０２は、カメラ１０１に含まれるフィールド信号に基づいてタイミングを生成する。第１撮像画像データまたは第２撮像画像データは、タイミング発生回路１０２が生成するタイミングに基づいてマルチプレクサ１０４から順次出力される。具体的には、本実施形態では、カメラ１０１から偶数フィールド信号が出力された場合はマルチプレクサ１０４から第１撮像画像データが出力され、カメラ１０１から奇数フィールド信号が出力された場合は第２撮像画像データが出力されるような構成となっており、これにより二種類の撮像画像データが交互に出力されることとなる。
マルチプレクサ１０４から出力されたデータは、画像圧縮部１０５により、それぞれ異なる圧縮率で、異なる画面サイズに圧縮される。画像圧縮部１０５により圧縮された撮像画像データはヘッダ付与部によりヘッダ情報が付与され、第１バッファ１０７に入力される。
第２の伝送部１０８により受信されたエントランスカメラ３０からのヘッダ付き圧縮撮像画像データは、第２バッファ１０９に入力される。
第１バッファ１０７のヘッダ付き圧縮撮像画像データおよび第２バッファ１０９のヘッダ付き圧縮撮像画像データは、第３の伝送部１１０に入力される。第３の伝送部１１０は、第１バッファ１０７のヘッダ付き圧縮撮像画像データと第２バッファ１０９のヘッダ付き圧縮撮像画像データとで一つの伝送フレームが生成されるように伝送フレームの組み立てを行い、組み立てた伝送フレームは、伝送線路Ｌ３を介して居室親機４０に送信される。
なお、本実施形態では、ヘッダ付与部１０６，３０３により付されるヘッダ情報は、カメラの識別情報であることを前提として説明するが、これに限られず、ヘッダ情報は、データの解像度（圧縮率、画面の大きさ）の情報、居室親機で使用する用途などの情報等であってもよい。
【００３２】
以上のようにして玄関子機１０の第３の伝送部１１０から送信されたデータは、居室親機４０の伝送部４０１で受信される。
伝送部４０１により受信されたデータは、画像伸張部４０３に入力され、伸張される。また、伝送部４０１により受信されたデータは、ヘッダ解析部４０２にも入力される。ヘッダ解析部４０２は、伝送部４０１により受信されたデータのヘッダを解析し、制御回路４０４に送信する。制御回路４０４は、ヘッダ情報をもとに、マルチプレクサ４０５を切り替える等のタイミングを生成する。
画像伸張部４０３により伸張されたデータは、マルチプレクサ４０５により第１バッファ４０６または第２バッファ４０７のいずれかに振り分けられる。具体的には、本実施形態では、マルチプレクサ４０５は、制御回路４０４の制御のもと、伝送部４０１により受信されたデータのヘッダ情報が玄関子機１のカメラ１０１を示す場合は、画像伸張部４０３により伸張されたデータを第１バッファ４０６に出力し、伝送部４０１により受信されたデータのヘッダ情報がエントランスカメラ２０のカメラ２０１またはエントランスカメラ３０のカメラ３０１を示す場合は、画像伸張部４０３により伸張されたデータを第２バッファ４０６に出力する。すなわち、マルチプレクサ４０５は撮像画像データの種類ごとに出力先を切り替えるようになっており、第１撮像画像データは第１バッファ４０６に出力され、第２撮像画像データおよび第３撮像画像データは第２バッファ４０７に出力されることとなる。第１バッファ４０６の第１撮像画像データはそのまま表示制御部４０９に入力され、第２バッファ４０７の第２撮像画像データおよび第３撮像画像データはリサイザ４０８でリサイズされてから表示制御部４０９に入力される。
【００３３】
表示制御部４０９は、予め行われた設定に従い、制御回路４０４の制御のもと、第１バッファ４０６の第１撮像画像データと、第２バッファ４０７の第２撮像画像データとがモニタ４１０に同時に表示されるように制御を行い、図１のように、モニタ４１０には、第１撮像画像データが大きく、第２撮像画像データが小さく同時に表示される。
すなわち、表示制御部４０９は、制御回路４０４の制御に基づき、第１バッファ４０６にバッファされたデータと同時に、ヘッダ情報をもとに第２バッファ４０７にバッファされたデータのうち第２撮像画像データがモニタ４１０に表示されるように制御する。
【００３４】
居室親機４０が呼出状態にある間に、居住者が居室親機４０の通話ボタン４１を押下し応答すると、玄関子機１０と居室親機４０との間が通話状態となる。
居住者が、呼出状態またはこの通話状態において、居室親機４０の表示切り替えボタン４２を押下した場合、表示制御部４０９は、居室親機４０のモニタ４１０に表示される画像データを第１撮像画像データおよび第３撮像画像データ、第１撮像画像データのみ、第２撮像画像データのみ、または第３撮像画像データのみに切り替える制御を実行する。これにより、居住者が表示切り替えボタン４２を押下する度に、第１撮像画像データおよび第２撮像画像データの同時表示、第１撮像画像データおよび第３像画像データの同時表示、第１撮像画像データのみの表示、第２撮像画像データのみの表示、第３撮像画像データのみの表示、と順次表示される画像データが切り替わる。
【００３５】
このように、本実施形態の住宅インターホンシステム１によれば、マルチプレクサ４０５により撮像画像データの種類ごとに出力先が切り替わるようになっている。すなわち、ヘッダ情報をもとに撮像画像データの種類によってバッファされるバッファが決定されるため、居室親機４０のモニタ４１０に容易に複数のカメラ１０１，２０１，３０１のうちの二つの撮像画像データを同時に表示することができ、居住者は一度に複数のカメラの撮像画像データを確認することができるようになる。これにより、モニタ４１０に複数のカメラ１０１，２０１の撮像画像データを同時に表示することができるので、他のカメラの撮像画像データを確認するためにモニタ４１０に表示される撮像画像データを切り替える操作を居住者が行う必要がなく、利便性が高い。
【００３６】
なお、本実施形態では、第１撮像画像データおよび第２撮像画像データがモニタ４１０に同時に表示される構成となっているが、これに限られず、第１撮像画像データおよび第２撮像画像データ、または第２撮像画像データおよび第３撮像画像データがモニタ４１０に同時に表示されるような構成としてもよい。前者の場合、表示制御部４０９が、第１バッファにバッファされたデータと同時に、制御回路４０４の制御に基づき、ヘッダ情報をもとに第２バッファにバッファされたデータのうち第３撮像画像データがモニタ４１０に表示されるように制御するような構成とすればよい。後者の場合、マルチプレクサ４０５を、制御回路４０４の制御のもと、伝送部４０１により受信されたデータのヘッダ情報がエントランスカメラ２０のカメラ２０１を示す場合は、画像伸張部４０３により伸張されたデータを第１バッファ４０６に出力し、伝送部４０１により受信されたデータのヘッダ情報が玄関子機１のカメラ１０１またはエントランスカメラ３０のカメラ３０１を示す場合は、画像伸張部４０３により伸張されたデータを第２バッファ４０７に出力するような構成とし、表示制御部４０９が、第１バッファ４０６にバッファされたデータと同時に、制御回路４０４の制御に基づき、ヘッダ情報をもとに第２バッファ４０７にバッファされたデータのうち第３撮像画像データのみがモニタ４１０に表示されるように制御するような構成とすればよい。
【００３７】
また、本実施形態では、玄関子機１０が画像圧縮部１０５を、エントランスカメラ３０が画像圧縮部３０２を備えるような構成となっているため、玄関子機１０側で、それぞれの撮像画像データの、居室親機４０のモニタ４１０において予定されている表示サイズ等に基づき、撮像画像データ毎に適した圧縮率および（または）画面サイズのデータに圧縮してから居室親機に送信することができ、利便性が高い。
加えて、居室親機４０は、第２バッファ４０７のデータをリサイズするリサイザ４０８を有しているので、モニタ４１０に同時に表示される撮像画像データの大きさをカメラ毎に変えることができ、設定によってさらに居住者の好みに合わせた表示とすることができる。
なお、本実施形態では、玄関子機１０のカメラ１０１により撮像された撮像画像データを大きく表示させ、エントランスカメラ２０のカメラ２０１により撮像された撮像画像データを小さく表示させるような構成となっているものとして説明したが、これに限らず、玄関子機１０のカメラ１０１により撮像された撮像画像データを小さく表示させ、エントランスカメラ２０のカメラ２０１により撮像された撮像画像データを大きく表示させたり、両データを同じ大きさに表示させるような構成としてもよい。すなわち、第１バッファ４０６または第２バッファ４０７の少なくとも一つのデータをリサイズするリサイザを備える構成としてもよいし、このようなリサイザを備えない構成としてもよい。同様に、画像圧縮部１０５，３０２を備えない構成としてもよい。
【００３８】
また、本実施形態では、モニタ４１０に同時に二つの撮像画像データが表示されるような構成となっているが、これに限られず、モニタ４１０に同時に三つの撮像画像データが表示されるような構成としてもよい。
【００３９】
また、居室親機４０は、表示切り替えボタン４２をさらに有しており、表示制御部４０９は、この表示切り替えボタン４２を操作する度にモニタ４１０に表示される撮像画像データを変更するような構成となっているので、モニタ４１０に第１撮像画像データおよび第２撮像画像データを同時に表示させるだけでなく、表示切り替えボタン４２を押下することにより、モニタ４１０に第１撮像画像データおよび第３撮像画像データを同時に表示させたり、第１撮像画像データのみを表示させたり、第２撮像画像データのみを表示させたり、第３撮像画像データを表示させたり、順次表示を切り替えることができ、利便性が高い。
【００４０】
さらに、本実施形態の住宅インターホンシステム１によれば、一つの伝送線路により玄関子機１０から居室親機４０に複数のカメラ１０１，２０１，３０１の撮像画像データを送信することができる。
【００４１】
なお、本実施形態では、カメラ１０１から偶数フィールド信号が出力された場合はマルチプレクサ１０４から第１撮像画像データが出力され、カメラ１０１から奇数フィールド信号が出力された場合は第２撮像画像データが出力されるようになっており、二種類の撮像画像データが交互に出力される構成となっているが、マルチプレクサ１０４は、カメラ１０１の出力に含まれる所定の信号がカメラ１０１から出力されるタイミングに基づいて、第１撮像画像データまたは第２撮像画像データを順次切り替えて出力するようになっていればよい。なお「所定の信号」とは、カメラ１０１の出力に含まれる、一定の間隔で出力される信号であればよく、カメラが出力するフィールド信号の代わりに垂直同期信号を使用してもよい。フィールド信号を使用すると垂直同期信号を使用する場合と比べて回路構成が簡単となる一方、画質は大きく劣化する。反対に、垂直同期信号を使用するとフィールド信号を使用する場合と比べて回路構成が複雑となる一方、画質の劣化は少ない。
【００４２】
また、本実施形態においては、第３の伝送部１１０では三種類の撮像画像データにより一つの伝送フレームが構築されるように構成されているものとして説明したが、これに限らず、複数のカメラの撮像画像データが玄関子機１０から居室親機４０に一定の規則性がある順序で送信するようになっていればどのような順序で送信になっていてもよい。
また、本実施形態の住宅インターホンシステム１は、エントランスカメラを二つ有しているものとして説明したが、これに限られず、一つだけ（または三つ以上）有するような構成としてもよい。エントランスカメラを一つだけ有するような構成とする場合、エントランスカメラ３０を有しないような構成となる。一方、エントランスカメラを三つ以上有するような構成とする場合には、玄関子機１０の伝送部およびバッファの数は、追加されたエントランスカメラの数だけ追加されることとなる。
本実施形態の玄関子機１０は、以上のような構成となっているが、玄関子機は、複数のカメラ１０１，２０１，３０１のヘッダ付き撮像画像データを玄関子機１０から居室親機４０に一つの伝送線路により送信することができるような構成となっていればよい。すなわち、画像圧縮部により圧縮されないような構成としてもよい。
【００４３】
＜第２実施形態＞
第２実施形態による集合住宅インターホンシステム２は、概略で図３および図４に示したように構成される。この実施形態の集合住宅インターホンシステム２は、マンション等の集合住宅で使用されるインターホンシステムである点で、主に戸建て住宅で使用される第１実施形態の住宅インターホンシステム１と異なり、住宅インターホンシステム１にはない制御装置９０を有する点で異なる。
【００４４】
本実施形態のインターホンシステム２は、集合住宅のエントランスＣに設置され、来訪者が来訪先の居室番号等を入力して呼出操作を行うための操作部５１と、操作部５１にて入力された居室番号等が表示される表示部５２とを備える集合玄関機５０と、集合玄関機５０に接続されているエントランスカメラ６０，７０と、各住戸内Ｅに設置され、集合玄関機５０からの呼び出しに応答する通話ボタン８１、表示切り替えボタン８２およびモニタ８１０を備える集合玄関機５０からの呼び出しに応答する機能を備えた複数の居室親機８０と、集合住宅の共用部Ｄに設置され、集合玄関機５０、エントランスカメラ６０，７０および居室親機８０を制御する制御装置９０とを有している。
集合玄関機５０とエントランスカメラ６０とは伝送線路Ｌ４、集合玄関機５０とエントランスカメラ７０とは伝送線路Ｌ５、集合玄関機５０と制御装置９０とは伝送線路Ｌ６、制御装置９０と居室親機８０とは伝送線路Ｌ７を介して接続されている。
【００４５】
エントランスカメラ６０は、エントランスＣに取り付けられた来訪者を撮像するための第１の増設カメラであり、図４に示すように、来訪者を撮像するためのカメラ６０１と、このカメラ６０１により撮像されたデータである第２撮像画像データを伝送線路Ｌ４を介して集合玄関機５０に送信する伝送部６０２とを有している。
エントランスカメラ７０は、エントランスＣに取り付けられた来訪者を撮像するための第２の増設カメラであり、図４に示すように、来訪者を撮像するためのカメラ７０１と、このカメラ７０１により撮像されたデータである第３撮像画像データを所定の圧縮率で、所定の画面サイズに圧縮する画像圧縮部７０２と、画像圧縮部７０２により圧縮された撮像画像データにカメラ７０１の識別情報をヘッダ情報として付与するヘッダ付与部７０３と、ヘッダ付与部７０３によりヘッダが付与されたヘッダ付き圧縮撮像画像データを伝送線路Ｌ５を介して集合玄関機５０に送信する伝送部７０４とを有している。これらのエントランスカメラ６０，７０は、集合玄関機５０の制御に基づいて動作するように構成されている。
これらのエントランスカメラ６０，７０の構成は、第１実施形態のエントランスカメラ２０の構成と同じである。
【００４６】
集合玄関機５０は、図４に示すように、カメラ５０１と、カメラ５０１の出力に含まれる所定の信号に基づいてタイミングを生成するタイミング発生回路５０２と、エントランスカメラ６０により撮像されたデータである第２撮像画像データをエントランスカメラ６０から受信する第１の伝送部５０３と、タイミング発生回路５０２により生成されるタイミングに基づいて第１撮像画像データまたは第２撮像画像データを順次切り替えて出力するマルチプレクサ５０４と、マルチプレクサ５０４から出力されたデータをそれぞれ異なる圧縮率で、異なる画面サイズに圧縮する画像圧縮部５０５と、画像圧縮部５０５により圧縮された撮像画像データに、カメラ５０１またはカメラ６０１の識別情報をヘッダ情報として付与するヘッダ付与部５０６と、ヘッダ付与部５０６によりヘッダが付与されたヘッダ付き圧縮撮像画像データをバッファする第１バッファ５０７と、エントランスカメラ７０からヘッダ付き圧縮撮像画像データを受信する第２の伝送部５０８と、第２の伝送部５０８により受信したヘッダ付き圧縮撮像画像データをバッファする第２バッファ５０９と、第１バッファ５０７のヘッダ付き圧縮撮像画像データまたは第２バッファ５０９のヘッダ付き圧縮撮像画像データを受け取り、伝送フレームの組み立てを行うとともに、組み立てた伝送フレームを、伝送線路Ｌ６を介して制御装置９０に送信することができる第３の伝送部５１０とを有している。
この集合玄関機５０の構成は、第１実施形態の玄関子機１０の構成と基本的に同じであるが、ヘッダ付き圧縮撮像画像データが第３の伝送部５１０から制御装置９０に送信される点で第１実施形態と異なる。
【００４７】
制御装置９０は、集合玄関機５０の第３の伝送部５１０から送信されたデータを受信することができる第１の伝送部９０１と、この第１の伝送部９０１で受信したデータを所定の宛先（所定の居室親機）に送信するための交換制御部９０２と、交換制御部９０２が出力したデータを、伝送線路Ｌ７を介して所定の居室親機８０に送信することができる第２の伝送部９０３とを有している。
【００４８】
居室親機８０は、図４に示すように、制御装置９０の第２の伝送部９０３から送信されたデータを伝送線路Ｌ７を介して受信する伝送部８０１と、伝送部８０１により受信したデータのヘッダを解析するヘッダ解析部８０２と、このヘッダ解析部８０２の解析結果に基づいて制御を行う制御回路８０４と、伝送部８０１により受信したデータを伸張する画像伸張部８０３と、制御回路８０４の制御に基づいて画像伸張部８０３により伸張されたデータの出力先を切り替えるマルチプレクサ８０５と、マルチプレクサ８０５から出力されたデータをバッファするための第１バッファ８０６および第２バッファ８０７と、第２バッファ８０７のデータをリサイズ（拡大または縮小）するリサイザ８０８と、表示制御部８０９と、モニタ８１０とを有している。
この居室親機８０の構成は、第１実施形態の居室親機３０の構成と基本的に同じであるが、伝送部８０１が制御装置９０の第２の伝送部９０３から送信されるデータを受信する点で、第１実施形態と異なる。
その他、集合玄関機５０、居室親機８０および制御装置９０が通話に必要な音声回路や映像回路等を備えていることは従来のインターホンシステムと同様であるので、これらについての説明は省略する。
【００４９】
次に、以上のように構成された集合住宅インターホンシステム２の動作、具体的には、来訪者が集合玄関機５０の操作部５１を操作して呼出操作を行った場合の動作について、説明する。
【００５０】
来訪者が集合玄関機５０の呼び出しボタン５１を押下した場合、居室親機８０が呼出状態となるとともに、集合玄関機５０の制御のもと、集合玄関機５０のカメラ５０１およびエントランスカメラ６０，７０のカメラ６０１，７０１による撮像が開始される。
エントランスカメラ６０のカメラ６０１により撮像されたデータである第２撮像画像データは、伝送部６０２から伝送線路Ｌ４を介して第１の伝送部５０３に送信される。
エントランスカメラ７０のカメラ７０１により撮像されたデータである第３撮像画像データは、画像圧縮部７０２により所定の圧縮率で、所定の画面サイズに圧縮された後、ヘッダ付与部７０３によりヘッダが付与され、伝送部７０４から伝送線路Ｌ５を介して集合玄関機５０に送信される。
このように、エントランスカメラ６０のカメラ６０１により撮像されたデータである第２撮像画像データは圧縮されずに集合玄関機５０に送信される一方、エントランスカメラ７０のカメラ７０１により撮像されたデータである第３撮像画像データは圧縮され、ヘッダが付与されてから集合玄関機５０に送信される。
【００５１】
カメラ５０１により撮像されたデータである第１撮像画像データおよび第２撮像画像データは、マルチプレクサ５０４に入力される。カメラ５０１により撮像されたデータは、タイミング発生回路５０２にも入力される。タイミング発生回路５０２は、カメラ５０１に含まれるフィールド信号に基づいてタイミングを生成する。第１撮像画像データまたは第２撮像画像データは、タイミング発生回路５０２が生成するタイミングに基づいてマルチプレクサ５０４から順次出力される。具体的には、本実施形態では、カメラ５０１から偶数フィールド信号が出力された場合はマルチプレクサ５０４から第１撮像画像データが出力され、カメラ５０１から奇数フィールド信号が出力された場合は第２撮像画像データが出力されるような構成となっており、これにより二種類の撮像画像データが交互に出力されることとなる。
マルチプレクサ５０４から出力されたデータは、画像圧縮部５０５により、それぞれ異なる圧縮率で、異なる画面サイズに圧縮される。画像圧縮部５０５により圧縮された撮像画像データはヘッダ付与部５０６によりヘッダ情報が付与され、第１バッファ５０７に入力される。
第２の伝送部５０８により受信されたエントランスカメラ７０からのヘッダ付き圧縮撮像画像データは、第２バッファ５０９に入力される。
第１バッファ５０７にバッファされたヘッダ付き圧縮撮像画像データおよび第２バッファ５０９にバッファされたヘッダ付き圧縮撮像画像データは、第３の伝送部５１０に入力される。第３の伝送部５１０は、第１バッファ５０７のヘッダ付き圧縮撮像画像データと第２バッファ５０９のヘッダ付き圧縮撮像画像データとで一つの伝送フレームが生成されるように伝送フレームの組み立てを行い、該データを伝送線路Ｌ６を介して制御装置９０に送信する。
【００５２】
以上のようにして集合玄関機５０の第２の伝送部５１０から送信されたデータは、制御装置９０の第１の伝送部９０１で受信される。この第１の伝送部９０１で受信したデータは交換制御部９０２に送信される。交換制御部９０２は、第１の伝送部９０１で受信したデータを呼び出された所定の居室親機８０に送信するための交換制御を行い、交換制御部９０２から出力されたデータは、第２の伝送部９０３から伝送線路Ｌ７を介して呼び出し先である所定の居室親機８０に送信される。
【００５３】
制御装置９０の第２の伝送部９０３から送信されたデータは、居室親機８０の伝送部８０１で受信される。
伝送部８０１により受信されたデータは、画像伸張部８０３に入力され、伸張される。また、伝送部８０１により受信されたデータは、ヘッダ解析部８０２にも入力される。ヘッダ解析部８０２は、伝送部８０１により受信されたデータのヘッダを解析し、制御回路４０４に送信する。制御回路８０４は、ヘッダ情報をもとに、マルチプレクサ８０５を切り替える等のタイミングを生成する。
画像伸張部８０３により伸張されたデータは、マルチプレクサ８０５により第１バッファ８０６または第２バッファ８０７のいずれかに振り分けられる。具体的には、本実施形態では、マルチプレクサ８０５は、制御回路８０４の制御のもと、伝送部８０１により受信されたデータのヘッダ情報が集合玄関機５０のカメラ５０１を示す場合は、画像伸張部８０３により伸張されたデータを第１バッファ８０６に出力し、伝送部８０１により受信されたデータのヘッダ情報がエントランスカメラ６０のカメラ６０１またはエントランスカメラ７０のカメラ７０１を示す場合は、画像伸張部８０３により伸張されたデータを第２バッファ８０７に出力する。すなわち、マルチプレクサ８０５は撮像画像データの種類ごとに出力先を切り替えるようになっており、第１撮像画像データは第１バッファ８０６に出力され、第２撮像画像データおよび第３撮像画像データは第２バッファ８０７に出力されることとなる。第１バッファ８０６の第１撮像画像データはそのまま表示制御部８０９に入力され、第２バッファ８０７の第２撮像画像データおよび第３撮像画像データはリサイザ８０８でリサイズされてから表示制御部８０９に入力される。
【００５４】
表示制御部８０９は、予め行われた設定に従い、制御回路８０４の制御のもと、第１バッファ８０６の第１撮像画像データと、第２バッファ８０７の第２撮像画像データとがモニタ８１０に同時に表示されるように制御を行い、図４のように、モニタ８１０には、第１撮像画像データが大きく、第２撮像画像データが小さく同時に表示される。
すなわち、表示制御部８０９は、第１バッファ８０６にバッファされたデータと同時に、制御回路８０４の制御に基づき、ヘッダ情報をもとに第２バッファ８０７にバッファされたデータのうち第２撮像画像データのみがモニタ８１０に表示されるように制御する。
【００５５】
居室親機８０が呼出状態にある間に、居住者が居室親機８０の通話ボタン８１を押下し応答すると、集合玄関機５０と居室親機８０との間が通話状態となる。
居住者が、呼出状態またはこの通話状態において、居室親機８０の表示切り替えボタン８２を押下した場合、表示制御部８０９は、居室親機８０のモニタ８１０に表示される画像データを第１撮像画像データおよび第３撮像画像データ、第１撮像画像データのみ、第２撮像画像データのみ、または第３撮像画像データのみに切り替える制御を実行する。これにより、居住者が表示切り替えボタン８２を押下する度に、第１撮像画像データおよび第２撮像画像データの同時表示、第１撮像画像データおよび第３像画像データの同時表示、第１撮像画像データのみの表示、第２撮像画像データのみの表示、第３撮像画像データのみの表示、と順次表示される画像データが切り替わる。
【００５６】
このように、本実施形態の集合住宅インターホンシステム２によれば、第１実施形態と同様に、ヘッダ情報をもとに撮像画像データの種類によってバッファされるバッファが決定されるため、居室親機８０のモニタ８１０に容易に複数のカメラ５０１，６０１，７０１のうちの二つの撮像画像データを同時に表示することができ、居住者は一度に複数のカメラの撮像画像データを確認することができるようになる。
その他、集合住宅インターホンシステム２においても、エントランスカメラを一つだけ（または三つ以上）有するような構成としてもよい点等については、第１実施形態と同様である。
【００５７】
また、本実施形態の集合住宅インターホンシステム２は、集合玄関機５０から撮像画像データのみが送信されるような構成のものとして説明したが、これに限られず、撮像画像データとともに、文字データおよび（または）画像データが送信されるような構成としてもよい。ここで、文字データとは「エントランスに荷物が届いております」、「火災が発生しました」等の文字による情報を示す。一方、画像データとは、荷物を示す画像、火災を示す画像等の画像情報を示す。
このような構成とする場合、図５に示すように、集合玄関機５５は、メモリ５２１と、データ用バッファ５２２とをさらに有する。メモリ５２１には、圧縮され、ヘッダが付された複数の文字データおよび画像データが保存されている。
カメラ５０１，６０１，７０１で撮像した撮像画像データとともに、文字データおよび（または）画像データを送信する場合、集合玄関機５５の図示しない制御装置の制御のもと、メモリ５２１から送信すべき所定の文字データおよび（または）画像データが、タイミング発生回路５０２が生成するタイミングに基づいてデータ用バッファ５２２に送信される。第３の伝送部５１０は、第１バッファ５０７のヘッダ付き圧縮撮像画像データと第２バッファ５１０のヘッダ付き圧縮撮像画像データとデータ用バッファ５２２の文字データおよび（または）画像データとで一つの伝送フレームが生成されるように伝送フレームの組み立てを行い、該データが、伝送線路Ｌ６を介して制御装置９０に送信される。
そして、制御装置９０を介して居室親機８０に送信されたデータは、上述したように、マルチプレクサ８０５により第１バッファ８０６または第２バッファ８０７のいずれかに振り分けられる。すなわち、マルチプレクサ８０５は、制御回路８０４の制御のもと、伝送部８０１により受信されたデータのヘッダ情報が集合玄関機５５のカメラ５０１を示す場合は、画像伸張部８０３により伸張されたデータを第１バッファ８０６に出力し、伝送部８０１により受信されたデータのヘッダ情報がエントランスカメラ６０のカメラ６０１、エントランスカメラ７０のカメラ７０１または文字データおよび（または）画像データを示す場合は、画像伸張部８０３により伸張されたデータを第２バッファ８０７に出力する。
第１撮像画像データは第１バッファ８０６に出力され、第２撮像画像データ、第３撮像画像データおよび文字データおよび（または）画像データは第２バッファ８０７に出力されることとなる。第１バッファ８０６の第１撮像画像データはそのまま表示制御部８０９に入力され、第２バッファ８０７の第２撮像画像データ、第３撮像画像データおよび文字データおよび（または）画像データはリサイザ８０８でリサイズされてから表示制御部８０９に入力される。
表示制御部８０９は、予め行われた設定に従い、制御回路８０４の制御のもと、第１バッファ８０６の第１撮像画像データと、第２バッファ８０７の文字データおよび（または）画像データとがモニタ８１０に同時に表示されるように制御を行い、図６のように、モニタ８１０には、第１撮像画像データが大きく、文字データおよび（または）画像データが小さく同時に表示される。すなわち、表示制御部８０９は、第１バッファ８０６にバッファされたデータと同時に、制御回路８０４の制御に基づき、ヘッダ情報をもとに第２バッファ８０７にバッファされたデータのうち文字データおよび（または）画像データのみがモニタ８１０に表示されるように制御する。
このような構成によれば、撮像画像データに加えて文字データおよび（または）画像データをも居室親機８０に送信することができ、設定によって、撮像画像データおよび文字データまたは画像データが同時に表示することができ、利便性が高い。
【符号の説明】
【００５８】
１，１００・・住宅インターホンシステム、２，２００・・集合住宅インターホンシステム、１０，１２０・・玄関子機、１１・・呼び出しボタン、２０，３０，６０，７０，１３０，２３０・・エントランスカメラ、４０，８０，１４０，２４０・・居室親機、４１，８１・・通話ボタン、４２，８２・・表示切り替えボタン、５０，５５，２２０・・集合玄関機、５１・・操作部、５２・・表示部、９０，２５０・・制御装置、１０１，１２１，１３１，２０１，２２１，２３１，３０１，５０１，６０１，７０１・・カメラ、１０２，５０２・・タイミング発生回路、１０３，１０８，１１０，１２２，１３２，１４１，１４２，２０２，２２２，２３２，２４１，２５１，２５２，３０４，４０１，５０３，５０８，５１０，６０２，７０４，８０１，９０１，９０３・・伝送部（データ送受信手段、データ伝送手段）、１０４，４０５，５０４，８０５・・マルチプレクサ（切り替え手段、画像振り分け手段）、１０５，３０２，５０５，７０２・・画像圧縮部（データ圧縮手段）、１０６，３０３，５０６，７０３・・ヘッダ付与部（ヘッダ付与手段）、１０７，１０９，４０６，４０７，５０７，５０９，７０３，８０６，８０７・・バッファ、１４４，２５４・・制御部、４０２，８０２・・ヘッダ解析部、４０３，８０３・・画像伸張部、４０４，８０４・・制御回路、４０８，８０８・・リサイザ、４０９，８０９・・表示制御部（表示制御手段）、５２１・・メモリ、５２２・・データ用バッファ、１４３，２４２，４１０，８１０・・モニタ、９０２・・交換制御部、
Ａ，Ｓ，・・エントランス、Ｃ，Ｐ・・マンションのエントランス、Ｄ，Ｑ・・共用部、Ｂ，Ｅ，Ｔ，Ｒ・・住戸内。
【図１】
0005323781.tif 000002
【図２】
0005323781.tif 000003
【図３】
0005323781.tif 000004
【図４】
0005323781.tif 000005
【図５】
0005323781.tif 000006
【図６】
0005323781.tif 000007
【図７】
0005323781.tif 000008
【図８】
0005323781.tif 000009